(57)【特許請求の範囲】
【請求項１】
大便器タンク給水部７に直結させて給水を行うことを特徴とする飛散防止用小便器の洗浄装置において、前記洗浄装置で使用する洗浄水の出水、止水を行う開閉装置５と、大便器タンク給水部７とをつなぐ給水管８ａ、８ｂに小便器洗浄水タンク３を設け、小便器洗浄水タンク３に一定量の貯水がなされると、余水が給水管８ａ、８ｂに非直線的かつ小便器洗浄水タンク３より上方部に給水口１１をもつよう分岐した大便器タンク給水管９から大便器タンク６へ給水されるよう構成された飛散防止用小便器の洗浄装置。
【発明の詳細な説明】
【技術分野】
【０００１】  本発明は、大便器に設けられた、小便の飛散を防止する小便器を収納かつ洗浄できる装置に関するものである。
【背景技術】
【０００２】  従来の大便器における小便の飛散防止具では、小便受けのみの小便補助ノズル（例えば特開２００１−５５７７７）や、小便器の洗浄水を大便器タンクへの給水管から直接、飛散防止用小便器へ分岐したもの（例えば特開２００４−１１６１８８）、飛散防止用小便器の洗浄水の給水管を大便器のタンク給水部から分岐し大便器と飛散防止用小便器を同時に洗浄するもの（例えば特開２０００−１０７０８８）、飛散防止用小便器の洗浄水の給水管を大便器のタンク給水部から分岐し、水圧調整バルブを経て飛散防止用小便器の洗浄部に接続したもの（例えば特開２００７−３０３０８４）等が提案されている。
【先行技術文献】
【特許文献】
【０００３】
【特許文献１】  特開２００１−５５７７７
【特許文献２】  特開２００４−１１６１８８
【特許文献３】  特開２０００−１０７０８８
【特許文献４】  特開２００７−３０３０８４
【発明の概要】
【発明が解決しようとする課題】
【０００４】  従来の飛散防止用小便器において、その洗浄部を有するものの小便器の洗浄水は、既存の大便器タンクへの給水管や給水部から分岐された管や、別に小便器の為だけに給水管を設けたものを、直接、小便器の洗浄部に接続していた。
その為、小便器を使用後にそれを洗浄する際には、既存の大便器のタンク給水部から分岐された管を使用しているものは、先ず、既存の大便器を洗浄することによりタンク給水部の水を出し、その後、小便器の洗浄操作を行わなければ小便器の洗浄部に給水されなかった為、２段階の洗浄操作を行わなければならず不便で、洗浄水の無駄があった。
また、大便器タンクへの給水管から分岐したものや、大便器タンクへの給水管や給水部とは別に、小便器の洗浄部の為だけに給水管を設けたものを、小便器の洗浄部に接続するのは、大掛かりな配管工事を必要とし、コスト高になった。【０００５】  本発明は、前記課題を解決するもので、大便器洗浄タンクへの給水部に設置することができ、基本的には小便器への洗浄が１回の操作ででき、大便器の洗浄は設置前と同様に使用できる飛散防止用小便器の洗浄装置を提供するものである。
【課題を解決するための手段】
【０００６】  前記課題を解決するために本発明は、大便器タンクへの給水部に直結させて給水を行うことを特徴とする飛散防止用小便器の洗浄装置において、前記洗浄装置で使用する洗浄水の出水、止水を行う開閉装置と、大便器タンク給水部とをつなぐ給水管に小便器洗浄水タンクを設け、小便器洗浄水タンクに一定量の貯水がなされると、余水が給水管に非直線的かつ小便器洗浄水タンクより上方部に給水口をもつよう分岐した大便器タンク給水管から大便器タンクへ給水されるよう構成する。
【発明の効果】
【０００７】本発明は、基本的には飛散防止用小便器への洗浄が１回の操作ででき、大便器の洗浄は設置前と同様に使用できる。また、大便器を流す際は常時、小便器洗浄水タンクに確実に給水し、かつ小便器洗浄水タンクが満水になると大便器タンク給水管から大便器タンクへの給水が必ず行われ、さらに大便器タンクも満水になると自動的に給水元の大便器給水部が止水され、小便器洗浄水タンクは、自動的かつ確実に満水状態に保たれます。さらに、既存の大便器に大掛かりな工事を必要とせず、素人でも簡単に装脱可能に、大便器タンクの側面や、便所内の壁面に設けることができる。
【図面の簡単な説明】
【０００８】
【図１】  飛散防止用小便器の洗浄装置の実施例を示す斜視図である。
【図２】  飛散防止用小便器の洗浄装置の実施例を示す斜視図である。
【図３】  飛散防止用小便器の洗浄装置の実施例を示す斜視図である。
【図４】  飛散防止用小便器の洗浄装置の実施例を示す斜視図である。
【図５】  飛散防止用小便器の洗浄装置の実施例を示す斜視図である。
【図６】  飛散防止用小便器の洗浄装置の実施例を示す斜視図である。
【図７】  飛散防止用小便器の洗浄装置の実施例を示す斜視図である。
【図８】  飛散防止用小便器の洗浄装置の実施例を示す斜視図である。
【図９】  飛散防止用小便器の洗浄装置の実施例を示す斜視図である。
【図１０】  飛散防止用小便器の洗浄装置の実施例を示す斜視図である。
【発明を実施するための形態】
【０００９】  以下、実施例を示す図面に基づいて本発明を詳細に説明する。
【実施例１】
【００１０】図１、３，６，９において、飛散防止用小便器１を収納・洗浄する洗浄部２の上部に小便器洗浄水タンク３を設け、大便器タンク６の大便器タンク給水部７に小便器洗浄水タンク３とをつなぐ給水管８ａを直結するよう設置し、給水管８ａに大便器タンク６へ給水できる大便器タンク給水管９を非直線的かつ小便器洗浄水タンク３より上方部に給水口１１をもつよう分岐して設ける。小便器洗浄水タンク３の下部には、洗浄水の出水・止水を操作する開閉装置５と、洗浄水の噴出部４を設ける。
【実施例２】
【００１２】また、図５、８のように、洗浄部２と小便器洗浄水タンク３を給水管８ｂによって別々に設けることもできる。
【実施例３】
【００１３】また、図１０のように、大便器タンク給水部７と小便器洗浄水タンク３を一体化させて設けることもできる。
【実施例４】
【００１】また、図１０のように、小便器洗浄水タンク３と洗浄部２とを繋ぐ給水管８ｂに大便器タンク給水管９を設けることもできる。
【符号の説明】
【００１４】１  飛散防止用小便器
２  洗浄部
３  小便器洗浄水タンク
４  噴出部
５  開閉装置
６  大便器タンク
７  大便器タンク給水部
８ａ、８ｂ  給水管
９  大便器タンク給水管
１０  大便器タンク給水パイプ
１１  給水口
【要約】
【課題】  大便器給水タンクへの給水部に設置することができ、飛散防止用小便器への洗浄が１回の操作ででき、大便器の洗浄は設置前と同様に使用できる飛散防止用小便器の洗浄部を提供する。
【解決手段】  飛散防止用小便器の洗浄装置で使用する洗浄水の出水、止水を行う開閉装置と、前記給水部との通水間に飛散防止用小便器洗浄水タンクを設け、前記タンクに一定量の貯水がなされると、余水が大便器タンク給水管から大便器タンクへ給水されるよう構成する。
【選択図】図９【図１】
0005276198.tif 000002
【図２】
0005276198.tif 000003
【図３】
0005276198.tif 000004
【図４】
0005276198.tif 000005
【図５】
0005276198.tif 000006
【図６】
0005276198.tif 000007
【図７】
0005276198.tif 000008
【図８】
0005276198.tif 000009
【図９】
0005276198.tif 000010
【図１０】
0005276198.tif 000011